(57)【特許請求の範囲】
【請求項１】
画像表示装置に対する遠隔操作を行うリモートコントローラ装置であつて、
上記リモートコントローラ装置が手のひらに載せて操作される際に自然と触れられるような筐体外部の所定位置に設けられたユーザの健康状態を検知する所定のセンサと、
上記センサの出力に基づいて上記健康状態を計測する計測手段と、
上記計測結果を上記画像表示装置に対して送信する送信手段と
を具えることを特徴とするリモートコントローラ装置。
【請求項２】
上記センサは、上記筐体外部の上面のスイツチ郡近傍に設けられた心拍数を検出する圧力センサでなる
ことを特徴とする請求項１に記載のリモートコントローラ装置。
【請求項３】
上記センサは、上記筐体外部の上面のスイツチ郡近傍に設けられた心拍数を検出する脈波センサでなる
ことを特徴とする請求項１に記載のリモートコントローラ装置。
【請求項４】
上記センサは、上記筐体外部の側面で上記手のひらに載せて操作される位置に設けられた体温を検出する温度センサでなる
ことを特徴とする請求項１に記載のリモートコントローラ装置。
【請求項５】
リモートコントローラ装置が手のひらに載せて操作される際に自然と触れられるような筐体外部の所定位置に設けられたユーザの健康状態を検知する所定のセンサからの出力に基づいて計測された上記健康状態の計測結果を受信する受信手段と、
上記受信手段によつて受信された上記計測結果を処理する処理手段と
を具えることを特徴とする受信装置。
【請求項６】
上記処理手段は、上記受信された計測結果を所定の記録手段に記録する
ことを特徴とする請求項５に記載の受信装置。
【請求項７】
上記受信装置は、
所定の映像ソースからの映像情報を可視表示する表示手段と、
上記計測結果を上記映像情報に重畳する重畳手段と
を具えることを特徴とする請求項５に記載の受信装置。
【請求項８】
上記受信装置は、
所定の音声ソースからの音声情報を可聴表示する表示手段と、
上記計測結果を上記音声情報に重畳する重畳手段と
を具えることを特徴とする請求項５に記載の受信装置。
【請求項９】
上記受信装置は、
上記計測結果を所定のフォーマツトに変換する変換手段
を具えることを特徴とする請求項５に記載の受信装置。
【発明の詳細な説明】
【０００１】
【目次】
以下の順序で本発明を説明する。
発明の属する技術分野
従来の技術
発明が解決しようとする課題
課題を解決するための手段
発明の実施の形態（図１〜図３）
発明の効果
【０００２】
【発明の属する技術分野】
本発明は送信装置及び受信装置に関し、例えばテレビジヨン装置等のような映像及び音声によつて視聴者に情報を表示する表示装置を遠隔操作する送信装置及びこの送信装置からの信号を受信する受信装置に適用して好適なものである。
【０００３】
【従来の技術】
従来、例えば健康管理用の測定機器として心拍数等を測定するものがある。この種の測定機器においては、被測定者が脈波センサに指等を接触させこの脈波センサ等から読み込まれた波形を所定の信号処理部で信号処理することによつて被測定者の脈拍を測定するようになされている。
【０００４】
【発明が解決しようとする課題】
ところで、かかる測定機器において被測定者の心拍数等、健康管理上必要となる要素を測定する場合、被測定者は測定用として専用に設けられているセンサに指等を接触させ、当該測定用として専用に設けられている信号処理部を操作することによつて測定を行う必要がある。
この結果、被測定者が自己の健康状態を確認しようとする場合においてのみ、その測定結果を得るようになされており、日常の生活行動のなかで常に健康状態を認識又は記録することが困難な問題があつた。
【０００５】
本発明は以上の点を考慮してなされたもので、健康状態を随時認識又は記録し得る送信装置及び受信装置を提案しようとするものである。
【０００６】
【課題を解決するための手段】
かかる課題を解決するため本発明においては、画像表示装置に対する遠隔操作を行うリモートコントローラ装置であつて、リモートコントローラ装置が手のひらに載せて操作される際に自然と触れられるような筐体外部の所定位置に設けられたユーザの健康状態を検知する所定のセンサと、当該センサの出力に基づいて健康状態を計測する計測手段と、当該計測結果を画像表示装置に対して送信する送信手段とを設けるようにする。
【０００７】
これにより、リモートコントローラ装置の筐体外部がユーザによつて手のひらに載せて操作される際に自然とセンサが触れられることになるため、画像表示装置を遠隔操作するために筐体外部が手のひらに載せて操作される度に健康状態を計測し、その計測結果を当該画像表示装置により画像としてユーザに目視確認させることができるので、ユーザに特別な意識を持たせることなく当該ユーザの健康状態を常時認識させることができる。
【０００８】
また本発明においては、リモートコントローラ装置が手のひらに載せて操作される際に自然と触れられるような筐体外部の所定位置に設けられたユーザの健康状態を検知する所定のセンサからの出力に基づいて計測された健康状態の計測結果を受信する受信手段と、当該受信手段によつて受信された計測結果を処理する処理手段とを設けるようにする。
これにより、リモートコントローラ装置の筐体外部がユーザによつて手のひらに載せて操作される際に自然とセンサが触れられた結果得られる健康状態の計測結果を受信して処理することができるので、ユーザに特別な意識を持たせることなく当該ユーザの健康状態の計測結果を常時得ることができる。
【０００９】
【発明の実施の形態】
以下図面について、本発明の一実施例を詳述する。
【００１０】
図１において１０は全体としてテレビジヨンシステムを示し、受信装置としてのテレビジヨン装置１１は、アンテナＡＮＴを介してチユーナ１３で所定チヤンネルのテレビジヨン放送波を受信し、このテレビジヨン放送波からそれぞれ異なる中間周波信号に変換された映像中間周波信号Ｓ１３Ｖ及び音声中間周波信号Ｓ１３Ａを映像処理回路１４及び音声処理回路１５にそれぞれ送出する。
【００１１】
映像処理回路１４は、映像中間周波信号Ｓ１３Ｖを増幅した後、映像検波することによつて映像信号Ｓ１４を得、これを重畳回路１６を介して陰極線管（ＣＲＴ）１８に送出する。これによりＣＲＴ１８にはチユーナ１３によつて選局されたチヤンネルの映像が表示される。
【００１２】
これに対して音声処理回路１５は、音声中間周波信号Ｓ１３Ａを増幅した後、ＦＭ（Frequency Modulation) 検波することによつて音声信号Ｓ１５を得、これを重畳回路１７を介してスピーカ１９Ｌ及び１９Ｒに送出する。これによりスピーカ１９Ｌ及び１９Ｒからはチユーナ１３によつて選局されたチヤンネルの音声がＣＲＴ１８の表示映像に合わせて出力される。
【００１３】
ここで当該テレビジヨン装置１１を視聴者が遠隔操作する送信装置としてのリモートコマンダ２１は、チヤンネル、音量等のスイツチ群２２を視聴者が押圧操作すると、これにより得られる操作信号Ｓ２２が変調回路２３に送出される。変調回路２３は操作信号Ｓ２２に基づいてスイツチ群２２のなかから実際に操作されたスイツチを特定し、これを発振回路２４からの発振出力によつて所定のシリアル送信信号に変換してＬＥＤ（Light Emitting Diode) 駆動部２６に送出する。
【００１４】
ＬＥＤ駆動部２６は操作スイツチを特定したシリアル送信信号に基づいてＬＥＤ２８を発光駆動させることにより、赤外線ＩＲを送出する。この赤外線ＩＲはテレビジヨン装置１１のリモコン受光部４１において受光され、受光信号Ｓ４１が続く１チツプ構成の検波／復調回路４２に送出される。
【００１５】
検波／復調回路４２は受光信号Ｓ４１を検波するとともにシリアル復調し、当該受光信号Ｓ４１として入力された情報がリモートコマンダ２１の操作スイツチ群のスイツチを特定する信号である場合、これをテレビジヨン制御信号Ｓ４２CONTとして制御部４４に送出する。これにより視聴者がリモートコマンダ２１の操作スイツチ群２２のなかから所望のスイツチを操作することにより、制御部４４は例えば音量の変更又はチヤンネルの変更等の視聴者の操作に応じたテレビジヨン装置１１の制御を行う。
【００１６】
ここでリモートコマンダ２１には体温を検知する体温センサ３１及び心拍数を検知する心拍数センサ３２が設けられている。すなわち図２はリモートコマンダ２１の外観を示し、上面に複数の操作スイツチでなる操作スイツチ群２２が設けられており、当該操作スイツチの操作に応じて赤外線ＩＲが先端部に形成された送出面２８から送出される。
【００１７】
当該リモートコマンダ２１の上面には心拍数センサ３２として圧力センサが設けられており、視聴者がリモートコマンダ２１を手のひらに載せて操作する際に指先を心拍数センサ３２に触れることにより、心拍数センサ３２から脈拍（心拍数）に応じて変化する心拍数検出信号Ｓ３２（図１）が計測回路３３に送出される。
【００１８】
またリモートコマンダ２１の側面（図２）には体温センサ３１として温度センサが設けられており、視聴者がリモートコマンダ２１を手のひらに載せて操作する際に手のひらの一部が体温センサ３１に触れることにより、体温センサ３１から接触した手のひらの温度に応じた体温検出信号Ｓ３１（図１）が計測回路３３に送出される。
【００１９】
計測回路３３は、心拍数検出信号Ｓ３２に基づいて心拍数を計測するとともに体温検出信号Ｓ３１に基づいて体温を計測し、それぞれの計測結果は所定の時間間隔で計測信号Ｓ３３として変調回路２３に送出される。
変調回路２３は計測信号Ｓ３３を所定の変調フオーマツトにしたがつてシリアル送信信号に変換し、ＬＥＤ（Light Emitting Diode) 駆動部２６に送出する。
【００２０】
ＬＥＤ駆動部２６は計測信号Ｓ３３が変換されてなるシリアル送信信号に基づいてＬＥＤ２８を発光駆動させることにより、赤外線ＩＲを送出する。この赤外線ＩＲはテレビジヨン装置１１のリモコン受光部４１において受光され、受光信号Ｓ４１が続く１チツプ構成の検波／復調回路４２に送出される。
【００２１】
検波／復調回路４２は受光信号Ｓ４１を検波するとともにシリアル復調し、当該受光信号Ｓ４１として入力された情報が計測信号Ｓ３３による計測情報Ｓ４２DET である場合、これを保持回路（レジスタ）４３を介してフオーマツト変換回路４５に送出する。フオーマツト変換回路４５は計測情報を数値又はグラフ等の所定の表示フオーマツトＳ４５Ｖと、心拍数及び又は体温に応じて周波数が変化するパルス状の音声信号Ｓ４５Ａに変換し、表示フオーマツトＳ４５Ｖを映像系の重畳回路１６に送出するとともに音声信号Ｓ４５Ａを音声系の重畳回路１７に送出する。因みに計測情報の内容は、受光信号Ｓ４１を受け取るごとに更新される。
【００２２】
映像系の重畳回路１６はテレビジヨン放送から復調された映像信号Ｓ１４に心拍数及び又は体温の計測情報でなる表示フオーマツトＳ４５Ｖを重畳しこれをＣＲＴ１８に送出することにより、ＣＲＴ１８の表示画面においてはテレビジヨン映像に計測結果がスーパーインポーズされる。
【００２３】
また音声系の重畳回路１７はテレビジヨン放送から復調された音声信号Ｓ１５に心拍数及び又は体温からの計測情報に基づいて得られた音声信号Ｓ４５Ａを重畳しこれをスピーカ１９Ｌ及び１９Ｒに送出することにより、スピーカ１９Ｌ及び１９Ｒからは心拍数及び又は体温に応じて変化するパルス音でなる計測結果がテレビジヨン音声に重畳されて出力される。
【００２４】
以上の構成において、視聴者がリモートコマンダ２１を操作してテレビジヨン装置１１を制御する場合、視聴者の手のひらにリモートコマンダ２１が載せられる。このときリモートコマンダ２１の上面に設けられた心拍数センサ３２に対して視聴者の親指が自然にあたることから、視聴者が特に意識することなく心拍数の計測が開始される。
【００２５】
またリモートコマンダ２１の側面に設けられた体温センサ３１に対して視聴者の手のひらが自然にあたることから、視聴者が特に意識することなく体温の計測が開始される。
かかる心拍数の計測及び体温の計測は視聴者がリモートコマンダ２１を操作するごとに行われ、当該計測が行われるごとにテレビジヨン装置１１のＣＲＴ１８及びスピーカ１９Ｌ、１９Ｒから計測結果が表示されることにより、計測結果は視聴者がテレビジヨン放送を視聴するとき、常に可視及び可聴表示される。
【００２６】
かくして以上の構成によれば、視聴者が自己の健康状態を意識的に計測することなく、テレビジヨン放送を視聴するという日常の行動のなかで常に心拍数及び体温を認識することができる。
【００２７】
なお上述の実施例においては、計測結果をテレビジヨン装置１１によつて表示する場合について述べたが、本発明はこれに限らず、例えばテープ状記録媒体又は光磁気デイスク等の記録媒体に記録するようにしても良い。すなわち図１との対応部分に同一符号を付して示す図３に示すように、テレビジヨン装置１１はフオーマツト変換回路４５から出力される表示フオーマツトＳ４５Ｖ及び音声信号Ｓ４５Ａを一旦記録／再生回路７０に送出してこれを記録するとともに、必要に応じてこれを再生し重畳回路１６及び１７にそれぞれ出力する。
このようにすれば、例えば視聴者の一日の健康状態を随時記録することができ、視聴者の健康状態を所定期間分まとめて確認することができる。
【００２８】
また上述の実施例においては、心拍数センサ３２として圧力センサを用いた場合について述べたが、本発明はこれに限らず、例えば血液中のヘモグロビンが光を吸収することを利用して、指先の血流状態を検出する脈波センサを用いるようにしても良い。
【００２９】
また上述の実施例においては、計測された心拍数及び体温をそれぞれ表示する場合について述べたが、本発明はこれに限らす、心拍数又は体温のいずれか一方を計測したり、さらには心拍数及び体温に基づいて視聴者の健康状態をレベル表示するようにしても良い。
【００３０】
また上述の実施例においては、テレビジヨン装置１１において視聴者の心拍数及び体温を常に表示する場合について述べたが、本発明はこれに限らず、リモートコマンダ２１及び又はテレビジヨン装置１１に切換スイツチを設けておき、リモートコマンダ２１の計測回路３３及び又はテレビジヨン装置１１の制御部４４を制御することにより、必要に応じて視聴者が常時表示モード、一時表示モード又は表示停止モードを選択するようにしても良い。
【００３１】
また上述の実施例においては、計測結果によるＣＲＴ１８の画面表示及びスピーカ１９Ｌ、１９Ｒからのパルス音出力はそのレベルが一定の場合について述べたが、本発明はこれに限らず、例えば心拍数が多くなるにしたがつてＣＲＴ１８の画面を明るくしたり、スピーカ１９Ｌ、１９Ｒからのパルス音を大きくする等、そのレベルを変化させるようにしても良い。
【００３２】
また上述の実施例においては、計測結果をパルス音によつて可聴表示する場合について述べたが、本発明はこれに限らず、例えば人工的に造られた人間の音声によつて可聴表示しても良い。
【００３３】
また上述の実施例においては、計測結果を可視表示及び可聴表示する場合について述べたが、本発明はこれに限らず、可視表示又は可聴表示のいずれか一方によつて表示しても良く、さらには可視表示又は可聴表示のいずれか一方を視聴者が選択するようにしても良い。
【００３４】
また上述の実施例においては、計測結果を随時表示する場合について述べたが、本発明はこれに限らず、心拍数及び又は体温が予め設定されている所定のしきい値を越えたとき、所定の警告表示をするようにしても良い。
【００３５】
また上述の実施例においては、本発明をテレビジヨン放送を視聴するテレビジヨン装置１１及びこれを遠隔操作するリモートコマンダ２１に適用した場合について述べたが、本発明はこれに限らず、例えばラジオ放送を受信するラジオ受信装置又はＶＴＲ（ビテオテープレコーダ）等、要は所定の情報を映像及び又は音声によつて視聴する装置及びこの装置を遠隔操作するリモートコマンダに広く適用することができる。
【００３６】
また上述の実施例においては、リモートコマンダ２１の上面に心拍数センサ３２を設けるとともに、側面に体温センサ３１を設ける場合について述べたが、本発明はこれに限らず、他の種々の位置に設けるようにしても良い。
【００３７】
また上述の実施例においては、心拍数及び又は体温を計測する場合について述べたが、本発明はこれに限らず、他の種々の要素を計測する場合に広く適用し得る。
【００３８】
さらに上述の実施例においては、本発明をテレビジヨン放送等の所定の放送又は情報を映像及び又は音声によつて視聴する装置及びこの装置を遠隔操作するリモートコマンダに適用した場合について述べたが、本発明はこれに限らず、計測結果のみを表示するようになされた表示装置を用いるようにしても良い。
【００３９】
【発明の効果】
上述のように本発明によれば、筐体外部がユーザによつて手のひらに載せて操作される際に自然とセンサが触れられることになるため、画像表示装置を遠隔操作するために筐体外部が手のひらに載せて操作される度に健康状態を計測し、その計測結果を当該画像表示装置により画像としてユーザに目視確認させることができるので、ユーザに特別な意識を持たせることなく当該ユーザの健康状態を常時認識させ得るリモートコントローラ装置及び受信装置を実現することができる。
【図面の簡単な説明】
【図１】本発明による送信装置及び受信装置の一実施例を示すブロツク図である。
【図２】本発明による送信装置の外観を示す斜視図である。
【図３】他の実施例を示すブロツク図である。
【符号の説明】
１０……テレビジヨンシステム、１１……テレビジヨン装置、１６、１７……重畳回路、１８……ＣＲＴ、１９Ｌ、１９Ｒ……スピーカ、２１……リモートコマンダ、２２……操作スイツチ群、３１……体温センサ、３２……心拍数センサ、３３……計測回路、２８……ＬＥＤ、４１……リモコン受光部、４２……検波／復調回路、４３……保持回路、４５……フオーマツト変換回路、７０……記録／再生部。
【図１】
0003669528.tif 000002
【図２】
0003669528.tif 000003
【図３】
0003669528.tif 000004